(57)【要約】【課題】プレキャストコンクリート部材とその外面側に配置される外装材との間からの基礎内部への浸水を防ぐことが可能な建物の基礎構造を提供する。【解決手段】プレキャストコンクリート部材を有する建物の基礎構造１０である。  そして、基礎スラブ１と、基礎スラブ１の上面１１の周縁に沿って間隔を置いて配置されたＰＣコーナー部２Ａ及びＴ型ＰＣ部２Ｂと、基礎スラブ１の側面１２及びプレキャストコンクリート部材の外側面２１側に配置されるコーナー外装材３Ａ及び平型外装材３Ｂとを備えている。  これらの外装材（３Ａ，３Ｂ）は、下端が基礎スラブ１の側面１２に被さるように垂下されているとともに、外装材の縁部に沿って基礎スラブ及びプレキャストコンクリート部材との間に防水材４Ａ，４Ｂを介在させる。【選択図】図１
2018035530.tif 000002
【特許請求の範囲】
【請求項１】
プレキャストコンクリート部材を有する建物の基礎構造であって、
スラブ状に形成された底板部と、
前記底板部の上面の少なくとも周縁に沿って間隔を置いて配置された複数のプレキャストコンクリート部材と、
前記底板部の側面及び前記プレキャストコンクリート部材の外側面側に配置される外装材とを備え、
前記外装材は、下端が前記底板部の側面に被さるように垂下されているとともに、前記外装材の縁部に沿って前記底板部及び前記プレキャストコンクリート部材との間に防水材を介在させたことを特徴とする建物の基礎構造。
【請求項２】
前記プレキャストコンクリート部材間には前記外装材が架け渡されるとともに、前記プレキャストコンクリート部材の外側面側で隣接する前記外装材間の隙間が目地部となることを特徴とする請求項１に記載の建物の基礎構造。
【請求項３】
前記外装材は、前記プレキャストコンクリート部材の外側面に対して、係留金具によって鉛直方向及び面外方向の位置調整可能な状態で連結されることを特徴とする請求項２に記載の建物の基礎構造。
【請求項４】
前記目地部を挟んだ隣接する前記外装材間には、面調金具が差し渡され、前記目地部に露出する前記面調金具のネジ用穴に対してネジ材が前記プレキャストコンクリート部材の外側面に向けてねじ込まれることを特徴とする請求項３に記載の建物の基礎構造。
【請求項５】
前記プレキャストコンクリート部材の外側面側には、前記係留金具の端部を固定するネジ材をねじ込むためのインサート材が埋設されていることを特徴とする請求項３又は４に記載の建物の基礎構造。
【請求項６】
前記外装材は、高さ調整金具を介して前記底板部に支持されていることを特徴とする請求項３乃至５のいずれか一項に記載の建物の基礎構造。
【請求項７】
前記外装材の側端部には、前記係留金具の端部を挿し込む中空部が形成されていることを特徴とする請求項３乃至６のいずれか一項に記載の建物の基礎構造。
【請求項８】
前記プレキャストコンクリート部材の外側面の下縁には、切欠き部が設けられ、前記底板部と前記切欠き部との間にはシール材が充填されていることを特徴とする請求項１乃至７のいずれか一項に記載の建物の基礎構造。
【請求項９】
前記底板部の上面と前記プレキャストコンクリート部材の底面との間には、低摩擦材が介在されることを特徴とする請求項１乃至８のいずれか一項に記載の建物の基礎構造。
【請求項１０】
前記底板部には、前記プレキャストコンクリート部材の底面から下方に突出させた連結材を埋設させるための連結穴が設けられていることを特徴とする請求項１乃至９のいずれか一項に記載の建物の基礎構造。
【請求項１１】
前記底板部の上面となる前記連結穴の周縁は、低摩擦材によって囲繞されていることを特徴とする請求項１０に記載の建物の基礎構造。
【発明の詳細な説明】
【技術分野】
【０００１】
本発明は、プレキャストコンクリート部材を有する建物の基礎構造に関するものである。
【背景技術】
【０００２】
特許文献１には、プレキャストコンクリート部材を使って構築される建物の基礎が開示されている。この基礎は、建物の周縁に沿って間隔を置いて配置される平面視略Ｌ字形や平面視略Ｔ字形のプレキャスト鉄筋コンクリート束と、それらの間を接続するプレキャスト鉄筋コンクリート製の側板とによって構成されている。この側板によって、基礎全体の外観に統一的な美観を確保することができるようになっている。
【０００３】
また、特許文献２には、基礎の外面に化粧板が取り付けられた化粧板付き基礎構造が開示されている。さらに特許文献３には、内部に複数の中空部が平行に延伸された押出成形セメント板を使用した乾式基礎が開示されている。この押出成形セメント板は、捨てコンクリートの上面に固定された溝状の下部ランナーに下端が挿し込まれ、起立状態を保持させる。
【先行技術文献】
【特許文献】
【０００４】
【特許文献１】特開平０９−７１９４６号公報
【特許文献２】特開２０１３−８７４９１号公報
【特許文献３】特開２００７−２１７８７１号公報
【発明の概要】
【発明が解決しようとする課題】
【０００５】
しかしながら、プレキャストコンクリート部材と化粧板などの表面側に配置される外装材との間に隙間があると、そこから建物の基礎内部に水が浸入するおそれがある。
【０００６】
そこで、本発明は、プレキャストコンクリート部材とその外面側に配置される外装材との間からの基礎内部への浸水を防ぐことが可能な建物の基礎構造を提供することを目的としている。
【課題を解決するための手段】
【０００７】
前記目的を達成するために、本発明の建物の基礎構造は、プレキャストコンクリート部材を有する建物の基礎構造であって、スラブ状に形成された底板部と、前記底板部の上面の少なくとも周縁に沿って間隔を置いて配置された複数のプレキャストコンクリート部材と、前記底板部の側面及び前記プレキャストコンクリート部材の外側面側に配置される外装材とを備え、前記外装材は、下端が前記底板部の側面に被さるように垂下されているとともに、前記外装材の縁部に沿って前記底板部及び前記プレキャストコンクリート部材との間に防水材を介在させたことを特徴とする。
【０００８】
ここで、前記プレキャストコンクリート部材間には前記外装材が架け渡されるとともに、前記プレキャストコンクリート部材の外側面側で隣接する前記外装材間の隙間が目地部となる構成とすることができる。
【０００９】
また、前記外装材は、前記プレキャストコンクリート部材の外側面に対して、係留金具によって鉛直方向及び面外方向の位置調整可能な状態で連結される構成とすることができる。
【００１０】
さらに、前記目地部を挟んだ隣接する前記外装材間には、面調金具が差し渡され、前記目地部に露出する前記面調金具のネジ用穴に対してネジ材が前記プレキャストコンクリート部材の外側面に向けてねじ込まれる構成とすることができる。
【００１１】
また、前記プレキャストコンクリート部材の外側面側には、前記係留金具の端部を固定するネジ材をねじ込むためのインサート材が埋設されていることが好ましい。
【００１２】
さらに、前記外装材は、高さ調整金具を介して前記底板部に支持されている構成とすることができる。また、前記外装材の側端部には、前記係留金具の端部を挿し込む中空部が形成されている構成とすることができる。
【００１３】
そして、前記プレキャストコンクリート部材の外側面の下縁には、切欠き部が設けられ、前記底板部と前記切欠き部との間にはシール材が充填されている構成とすることができる。
【００１４】
また、前記底板部の上面と前記プレキャストコンクリート部材の底面との間には、低摩擦材が介在される構成とすることができる。さらに、前記底板部には、前記プレキャストコンクリート部材の底面から下方に突出させた連結材を埋設させるための連結穴が設けられている構成とすることができる。そして、前記底板部の上面となる前記連結穴の周縁は、低摩擦材によって囲繞されていることが好ましい。
【発明の効果】
【００１５】
このように構成された本発明の建物の基礎構造は、スラブ状に形成された底板部の上面の周縁に沿って間隔を置いて複数のプレキャストコンクリート部材が配置される。また、底板部の側面及びプレキャストコンクリート部材の外側面側には外装材が配置される。そして、外装材の縁部に沿って底板部及びプレキャストコンクリート部材との間には、防水材を介在させる。
【００１６】
このため、外装材の側縁及び下縁には防水材が配置された状態となって、プレキャストコンクリート部材とその外面側に配置される外装材との間からの基礎内部への浸水を防ぐことができる。
【００１７】
また、プレキャストコンクリート部材の外側面側で外装材を隣接させて目地部を設ける構成であれば、外装材とプレキャストコンクリート部材との間に防水材を介在させることが可能になり、高い防水性能を発揮させることができる。
【００１８】
さらに、外装材を係留金具によって鉛直方向及び面外方向の位置調整可能な状態で連結させるのであれば、外装材を仮固定してから微調整によって面通りの良い優れた外観に仕上げることができる。特に、外装材間の面外方向の位置調整は、目地部に跨って差し渡される面調金具とネジ材によって、簡単に調整することができる。
【００１９】
また、プレキャストコンクリート部材の外側面側に、係留金具の端部を固定するネジ材をねじ込むためのインサート材が埋設されていれば、プレキャストコンクリート部材を損傷させることなく、容易にネジ材による固定を行うことができる。
【００２０】
さらに、高さ調整金具を介して外装材を底板部に支持させる構成であれば、外装材の仮固定後に高さ方向の微調整を容易に行うことができる。また、外装材の側端部に係留金具の端部を挿し込む中空部が形成されていれば、外装材の表面側に影響を与えることなくプレキャストコンクリート部材への固定を行うことができる。
【００２１】
そして、プレキャストコンクリート部材の外側面の下縁に切欠き部を設けてシール材を充填しておくことで、プレキャストコンクリート部材と底板部との隙間への浸水を防ぐことができる。
【００２２】
また、底板部の上面とプレキャストコンクリート部材の底面との間に低摩擦材が介在されていれば、プレキャストコンクリート部材の平面位置の微調整が容易に行えるようになる。
【００２３】
さらに、底板部にプレキャストコンクリート部材の底面から下方に突出された連結材を埋設させるための連結穴が設けられていれば、プレキャストコンクリート部材を底板部に強固に固定することができる。
【００２４】
そして、底板部の上面となる連結穴の周縁が低摩擦材によって囲繞されていれば、底板部の上面にレベリング材などを敷き均したとしても連結穴に流れ込むのを防ぐことができる。
【図面の簡単な説明】
【００２５】
【図１】本実施の形態の建物の基礎構造の構成を説明する斜視図である。
【図２】本実施の形態の建物の基礎構造の構成を説明する平面図である。
【図３】ＰＣコーナー部とコーナー外装材との配置関係を説明する断面図である。
【図４】図３の上部及び下部を拡大して示した断面図である。
【図５】平型外装材の配置を説明する断面図である。
【図６Ａ】係留金具の構成を説明する正面図である。
【図６Ｂ】係留金具がコーナー外装材に取り付けられた状態を説明する断面図である。
【図７】ＰＣコーナー部にコーナー外装材を取り付ける工程を説明する斜視図である。
【図８】面調金具をコーナー外装材に装着する工程を説明する正面図である。
【図９】コーナー外装材に隣接して平型外装材を取り付ける工程を説明する斜視図である。
【図１０】高さ調整金具の配置位置を平面位置関係で説明する断面図である。
【図１１】高さ調整金具による位置調整の工程を説明する断面図である。
【図１２Ａ】面調金具が差し渡されただけの状態を説明する断面図である。
【図１２Ｂ】面調金具によって面外方向の位置調整が行われた状態を説明する断面図である。
【図１３】目地部の構成を説明する断面図である。
【発明を実施するための形態】
【００２６】
以下、本発明の実施の形態について図面を参照して説明する。図１は、本実施の形態の建物の基礎構造１０の構成を説明する斜視図であり、図２は、基礎構造１０の平面図を示している。
【００２７】
本実施の形態の基礎構造１０は、建物のべた基礎を現場打ちコンクリートとプレキャストコンクリート部材とを用いて構成したものである。すなわち基礎構造１０は、図２に示すように、建物の基礎施工領域となる例えば平面視長方形領域に、鉄筋コンクリートによってスラブ状に構築された底板部としての基礎スラブ１と、その基礎スラブ１の周縁及び内部に間隔を置いて配置されたプレキャストコンクリート部材（２Ａ，２Ｂ，２Ｃ，２０Ａ，２０Ｂ）とによって、主に構成される。
【００２８】
基礎スラブ１は、図３，５に示すように、水平方向に向けて配筋された複数の鉄筋によって構成される配筋部１３と、現地で打設されるコンクリートとによって主に構成される。
【００２９】
基礎スラブ１の下方には、栗石や捨てコンクリートなどによって下地層１４が形成される。また、板状の基礎スラブ１の下部は地面Ｇの下に埋め戻され、上部は地面Ｇから突出される。すなわち基礎スラブ１の側面１２の上部及び上面１１は、地面Ｇから突出されて露出された状態になる。
【００３０】
そして、図２に示すように、基礎スラブ１の周縁に沿って、複数のプレキャストコンクリート部材（２Ａ−２Ｃ）が間隔を置いて配置される。ここで、基礎スラブ１の隅角部に配置されるプレキャストコンクリート部材をＰＣコーナー部２Ａとし、ＰＣコーナー部２Ａ，２Ａ間に配置されるプレキャストコンクリート部材をＴ型ＰＣ部２Ｂ又は中間ＰＣ部２Ｃとする。
【００３１】
プレキャストコンクリート部材は、工場で製作される鉄筋コンクリート製又はＰＣコンクリート製のブロックで、ＰＣコーナー部２Ａは平面視略Ｌ字形に成形される。また、Ｔ型ＰＣ部２Ｂは、平面視略Ｔ字形に成形される。さらに、中間ＰＣ部２Ｃは、平面視略長方形に成形される。
【００３２】
さらに、基礎スラブ１の内部にも、複数のプレキャストコンクリート部材（２０Ａ，２０Ｂ）が間隔を置いて配置される。対峙するＴ型ＰＣ部２Ｂ，２Ｂ同士の交点には、平面視略十字形の十字型ＰＣ部２０Ａが配置され、Ｔ型ＰＣ部２Ｂと十字型ＰＣ部２０Ａの間には、平面視略Ｉ字形のＩ型ＰＣ部２０Ｂが配置される。
【００３３】
ここで、図３を参照しながら、ＰＣコーナー部２Ａを例にしてプレキャストコンクリート部材の構成についてさらに説明する。ＰＣコーナー部２Ａには、基礎スラブ１の上面１１から壁状に立ち上げられる外側面２１が形成される。この外側面２１は、基礎スラブ１の側面１２とほぼ連続する鉛直面を形成する。
【００３４】
ＰＣコーナー部２Ａの上面２６には、アンカーボルト２４１を介して建物本体１０１を連結させるための補強プレート２４が配置される。また、ＰＣコーナー部２Ａの内部には、鉄筋によって配筋部２２が設けられ、鉛直方向に向けられた鉄筋の下部は、ＰＣコーナー部２Ａの底面から下方に突出されて連結材２２１となる。
【００３５】
連結材２２１の下端には支圧プレート２２２が設けられ、基礎スラブ１に設けられた連結穴１５に挿入されて、周囲に充填された充填コンクリート１５１によって埋設される。
【００３６】
ＰＣコーナー部２Ａには、図４の下半に示すように、外側面２１の下縁に沿って直方体状の切欠き部２３が設けられる。この切欠き部２３には、基礎スラブ１の上面１１との間に、水膨張シーリング材２３１及びポリマーセメントモルタルなどの充填材２３２がシール材として充填される。
【００３７】
そして、図１に示すように、基礎スラブ１の側面１２及び基礎スラブ１の周縁に配置されたプレキャストコンクリート部材（２Ａ，２Ｂ，２Ｃ）の外側面２１側には外装材（３Ａ，３Ｂ）が配置される。
【００３８】
外装材（３Ａ，３Ｂ）には、ＰＣコーナー部２Ａの出隅に配置されるコーナー外装材３Ａと、ＰＣコーナー部２ＡとＴ型ＰＣ部２Ｂとの間、Ｔ型ＰＣ部２Ｂ，２Ｂ間及び中間ＰＣ部２ＣとＴ型ＰＣ部２Ｂとの間に配置される平型外装材３Ｂとがある。
【００３９】
これらの外装材（３Ａ，３Ｂ）は、図３及び図５に示すように、水平方向に延びて鉛直方向に間隔を置いて略平行に配列される複数の中空部３１，・・・が設けられる。この中空部３１は、直方体状に形成され、外装材（３Ａ，３Ｂ）の幅方向となる両側の側端部３２，３２間で貫通している。
【００４０】
このような外装材（３Ａ，３Ｂ）は、押出成形セメント板等によって製作される。以下では、主にコーナー外装材３Ａを例にして、図３，４を参照しながら説明を続ける。
【００４１】
ＰＣコーナー部２Ａの外側面２１側には、上面２６，３６の位置を揃えてコーナー外装材３Ａが取り付けられる。このコーナー外装材３Ａの上面３６は、建物本体１０１から張り出された水切材１０１ａによって覆われる。さらに、コーナー外装材３Ａの上面３６とＰＣコーナー部２Ａの上面２６との隙間は、防水テープ１７によって塞がれる。
【００４２】
また、コーナー外装材３Ａの外側面側には、模様が施された化粧材３３やタイルなどが貼り付けられる。さらに、コーナー外装材３Ａの下端面３４は、地面Ｇより上方に離隔した位置に配置される。
【００４３】
そして、図１に示すように、コーナー外装材３Ａの背面側の両側縁部及び下縁部には、連続して側面視略コ字形となるように防水材４Ａが貼り付けられる。すなわち防水材４Ａは、対向する一対の鉛直部４１，４１と、それらの下端間を繋ぐ水平部４２とによって形成される。
【００４４】
また、平型外装材３Ｂの背面側の両側縁部及び下縁部にも、連続して側面視略コ字形となるように防水材４Ｂが貼り付けられる。要するに、プレキャストコンクリート部材（２Ａ−２Ｃ）の外側面２１から下端が基礎スラブ１の側面１２に被さるように垂下された外装材（３Ａ，３Ｂ）の縁部に沿って、基礎スラブ１及びプレキャストコンクリート部材（２Ａ−２Ｃ）との間に防水材４Ａ，４Ｂを介在させる。防水材４Ａ，４Ｂには、特殊軟質ポリウレタンや特殊ポリウレタンなどを主原料とする発泡ウレタン樹脂体などが使用できる。
【００４５】
また、プレキャストコンクリート部材（２Ａ−２Ｃ）及び平型外装材３Ｂの基礎スラブ１の内部側の側面には、断熱材５Ａ，５Ｂ，５Ｃが連続して配置される。さらに、これらの断熱材５Ａ−５Ｃに隣接して、基礎スラブ１の上面１１にも断熱材５Ｄが配置される。
【００４６】
外装材（３Ａ，３Ｂ）は、係留金具６によってプレキャストコンクリート部材（２Ａ−２Ｃ）の外側面２１に連結される。係留金具６は、図６Ａ，６Ｂに示すように、長方形板状の突出部６１と、その側縁から直角に立ち上げられる段差部６３と、段差部６３の上縁から突出部６１の反対側に延出される挿込部６２とによって、側面視略Ｚ字形に形成される。
【００４７】
挿込部６２には、ネジ材であるボルト６５を挿入するためのネジ用穴６２１が穿孔される。また、そのネジ用穴６２１に対して、ボルト６５をねじ込むためのナット６４が挿込部６２に固着される。
【００４８】
一方、突出部６１にも、ネジ材であるボルト６１２を挿入するためのネジ用穴６１１が穿孔される。係留金具６は、挿込部６２がコーナー外装材３Ａの中空部３１に挿し込まれて、ナット６４がコーナー外装材３Ａの取付穴３５に嵌め込まれる。そして、コーナー外装材３Ａの外側から取付穴３５に対してねじ込まれたボルト６５によって、コーナー外装材３Ａに係留金具６が固定される。
【００４９】
次に、本実施の形態の建物の基礎構造１０の構築方法について説明する。この基礎構造１０の構築方法は、プレキャストコンクリート部材（２Ａ−２Ｃ，２０Ａ，２０Ｂ）を用いたべた基礎の構築方法である。
【００５０】
まず、基礎施工領域となる地面Ｇを掘削し、栗石（砕石）が敷き均された後に、捨てコンクリートを打設することで下地層１４を設ける。そして、下地層１４の上に配筋部１３を設けて、基礎スラブ１用のコンクリートを打設する。なお、連結穴１５とする箇所には、予め箱抜き用の型枠を設置しておく。
【００５１】
そして、図２に示すように、平面視長方形に構築された基礎スラブ１の上面１１の隅角部に、ＰＣコーナー部２Ａ，・・・を配置する。ＰＣコーナー部２Ａを設置する際には、図３に示すように連結穴１５の周縁を、変成シリコーンなどの低摩擦材１６によって囲繞させる。
【００５２】
この低摩擦材１６は、連結穴１５の周縁以外の基礎スラブ１の上面１１とＰＣコーナー部２Ａの底面との間にも介在させる。低摩擦材１６を介在させておくことで、ＰＣコーナー部２Ａの平面位置の微調整が容易に行えるようになる。
【００５３】
基礎スラブ１の上面１１には、必要に応じてレベリング材が敷き均される。この際、連結穴１５の周縁が低摩擦材１６によって囲繞されていれば、スラリー状のレベリング材が堰き止められて、連結穴１５への流入が防止される。
【００５４】
また、連結穴１５には、ＰＣコーナー部２Ａを設置する前に、充填コンクリート１５１を充填しておく。そして、充填コンクリート１５１が充填された連結穴１５に対して、ＰＣコーナー部２Ａの底面から突出された連結材２２１を挿し込む。
【００５５】
ＰＣコーナー部２Ａが微調整によって正確な平面位置に設置された後に、図４に示すように切欠き部２３に、水膨張シーリング材２３１及び充填材２３２が充填されて、止水処理が施される。
【００５６】
同様にして、基礎スラブ１の上面１１の周縁に沿って、Ｔ型ＰＣ部２Ｂ，・・・及び中間ＰＣ部２Ｃ，・・・を配置する。また、基礎スラブ１の内部側には、十字型ＰＣ部２０Ａ，・・・及びＩ型ＰＣ部２０Ｂ，・・・を配置する。
【００５７】
続いて、図７に示すように、ＰＣコーナー部２Ａの外側面２１に対して、コーナー外装材３Ａを取り付ける。ここで、ＰＣコーナー部２Ａの外側面２１には、ボルト６１２，７１をねじ込むためのインサート材２５が予め埋設されている。
【００５８】
一方、コーナー外装材３Ａの側端部３２からは、係留金具６の突出部６１が突出されており、その突出部６１のネジ用穴６１１に対して、ボルト６１２をインサート材２５に向けてねじ込んで仮固定する。続いて、コーナー外装材３Ａの上面３６をＰＣコーナー部２Ａの上面２６の高さに合わせて、ボルト６１２を本固定する。
【００５９】
このようにして係留金具６によってＰＣコーナー部２Ａに連結されたコーナー外装材３Ａは、図８に示すように、ＰＣコーナー部２Ａの外側面２１と基礎スラブ１の側面１２の上部に被さるように取り付けられる。そして、コーナー外装材３Ａの側縁及び下縁に沿って防水材４Ａが介在される。
【００６０】
続いて、コーナー外装材３Ａの高さ方向の中間にある中空部３１に対して、長方形板状の面調金具７の一端を挿し込む。面調金具７は、中央にネジ材としてのボルト７１を挿し込むネジ用穴７３を有する金具である。面調金具７の両側縁には、図１２Ａ，１２Ｂに示すように緩衝材７２，７２が取り付けられている。
【００６１】
さらには、図９に示すように、ＰＣコーナー部２Ａに連結されたコーナー外装材３Ａに隣接して、平型外装材３Ｂの一端がＰＣコーナー部２Ａの外側面２１に連結される。
【００６２】
図１０は、目地部３０となる隙間を開けて隣接されたコーナー外装材３Ａと平型外装材３Ｂとの配置関係を示している。平型外装材３Ｂの中空部３１には、一端がコーナー外装材３Ａに挿し込まれた面調金具７の他端が挿し込まれている。
【００６３】
また、平型外装材３Ｂは、ＰＣコーナー部２Ａに隣接する位置で、高さ調整金具８を介して基礎スラブ１の上面１１に支持される。図１１に示すように、高さ調整金具８は、側面視略Ｌ字形に形成されており、一片が平型外装材３Ｂの背面に固定ネジ８３によって固定されている。
【００６４】
そして、上面１１側に張り出された他片には、ナット８２が固着されており、そのナット８２にボルト８１をねじ込むことで、平型外装材３Ｂの高さを微調整することができる。すなわち、ボルト８１の先端は基礎スラブ１の上面１１に接触しており、ボルト８１のねじ込み量によって、平型外装材３Ｂを鉛直方向に移動させることができる。
【００６５】
ここで、平型外装材３Ｂは、変形しやすいＺ字形の係留金具６によってＰＣコーナー部２Ａに連結されているため、変形が許容される僅かな距離であれば、連結させたままの状態で鉛直方向に移動させることができる。また、突出部６１のネジ用穴６１１をボルト６１２の径より大きめにしておくことで、仮固定の間は鉛直方向の位置の調整が可能になる。
【００６６】
そして、高さ調整金具８の調整によって隣接するコーナー外装材３Ａと高さが揃えられた平型外装材３Ｂは、図示しない固定金具（Ｌ形金具など）を介して、基礎スラブ１の上面１１に接合させる。
【００６７】
図１２Ａは、コーナー外装材３Ａと平型外装材３Ｂとの間に差し渡された状態の面調金具７を示している。ネジ材としてのボルト７１は、目地部３０に露出する面調金具７のネジ用穴７３に対して外側面２１に向けてねじ込まれる。
【００６８】
ボルト７１による締め付けが無い段階では、目地部３０を挟んで隣接するコーナー外装材３Ａと平型外装材３Ｂとは、面外方向の位置ずれを起こしていることがある。
【００６９】
そこで、図１２Ｂに示すようにボルト７１をねじ込むと、緩衝材７２，７２及び防水材４Ａ，４Ｂが圧縮変形して、コーナー外装材３Ａと平型外装材３Ｂの面外方向の位置を揃えることができる。すなわち、変形しやすい係留金具６によってＰＣコーナー部２Ａに連結されているコーナー外装材３Ａ及び平型外装材３Ｂは、連結させた状態のままで面外方向の微調整を行うことができる。
【００７０】
このようにして鉛直方向と面外方向の位置調整が行われて固定されたコーナー外装材３Ａと平型外装材３Ｂとの目地部３０の隙間には、図１３に示すように、ガスケット３０１が挿入される。
【００７１】
次に、本実施の形態の建物の基礎構造１０の作用について説明する。
【００７２】
このように構成された本実施の形態の建物の基礎構造１０は、基礎スラブ１の上面１１の周縁に沿って間隔を置いて複数のプレキャストコンクリート部材（２Ａ−２Ｃ）が配置される。
【００７３】
また、基礎スラブ１の側面１２及びプレキャストコンクリート部材の外側面２１側には外装材（３Ａ，３Ｂ）が配置される。そして、コーナー外装材３Ａと平型外装材３Ｂのそれぞれの縁部に沿って、側面１２及び外側面２１との間に防水材４Ａ，４Ｂを介在させる。
【００７４】
このため、外装材（３Ａ，３Ｂ）の側縁には防水材４Ａ，４Ｂの鉛直部４１，４１が配置され、下縁には水平部４２が配置された状態となって、プレキャストコンクリート部材（２Ａ−２Ｃ）とその外面側に配置される外装材（３Ａ，３Ｂ）との間からの基礎内部への浸水を防ぐことができる。
【００７５】
また、プレキャストコンクリート部材（２Ａ−２Ｃ）の外側面２１側でコーナー外装材３Ａと平型外装材３Ｂ又は平型外装材３Ｂ，３Ｂ同士を隣接させて目地部３０を設ける構成であれば、外装材（３Ａ，３Ｂ）とプレキャストコンクリート部材の外側面２１との間に防水材４Ａ，４Ｂを介在させられるようになって、高い防水性能を発揮させることができる。
【００７６】
さらに、外装材（３Ａ，３Ｂ）を係留金具６によって鉛直方向及び面外方向の位置調整可能な状態で連結させることで、外装材（３Ａ，３Ｂ）を仮固定してから微調整によって面通りの良い優れた外観に仕上げることができる。特に、外装材（３Ａ，３Ｂ）間の面外方向の位置調整は、目地部３０に跨って差し渡される面調金具７とボルト７１によって、簡単に調整することができる。
【００７７】
また、プレキャストコンクリート部材の外側面２１側に、係留金具６の突出部６１を固定するボルト６１２や面調金具７のボルト７１をねじ込むためのインサート材２５，・・・が埋設されていれば、プレキャストコンクリート部材（２Ａ−２Ｃ）を損傷させることなく、容易にボルト６１２，７１による固定や位置調整を行うことができる。
【００７８】
さらに、平型外装材３Ｂを基礎スラブ１の上面１１に高さ調整金具８を介して支持させる構成であれば、平型外装材３Ｂの仮固定後に高さ方向の微調整を容易に行うことができる。
【００７９】
また、外装材（３Ａ，３Ｂ）の側端部３２に係留金具６の挿込部６２を挿し込む中空部３１が形成されていれば、外装材（３Ａ，３Ｂ）の表面側に影響を与えることなくプレキャストコンクリート部材の外側面２１への固定を行うことができる。
【００８０】
そして、プレキャストコンクリート部材（２Ａ−２Ｃ）の外側面２１の下縁に沿って切欠き部２３が設けられて、水膨張シーリング材２３１や充填材２３２などのシール材が充填されることで、プレキャストコンクリート部材（２Ａ−２Ｃ）の底面と基礎スラブ１の上面１１との隙間への浸水を防ぐことができる。
【００８１】
また、基礎スラブ１の上面１１とプレキャストコンクリート部材（２Ａ−２Ｃ）の底面との間に低摩擦材１６が介在されていれば、プレキャストコンクリート部材（２Ａ−２Ｃ）が移動させやすくなって、平面位置の微調整が容易に行えるようになる。
【００８２】
さらに、基礎スラブ１にプレキャストコンクリート部材（２Ａ−２Ｃ）の底面から下方に突出された連結材２２１を埋設させるための連結穴１５が設けられていれば、プレキャストコンクリート部材（２Ａ−２Ｃ）を基礎スラブ１に強固に固定することができる。
【００８３】
そして、基礎スラブ１の上面１１となる連結穴１５の周縁が低摩擦材１６によって囲繞されていれば、基礎スラブ１の上面１１にレベリング材を敷き均す際に、連結穴１５に流れ込むのを防ぐことができる。
【００８４】
以上、図面を参照して、本発明の実施の形態を詳述してきたが、具体的な構成は、この実施の形態に限らず、本発明の要旨を逸脱しない程度の設計的変更は、本発明に含まれる。
【００８５】
例えば、前記実施の形態では、建築現場で構築する基礎スラブ１を底板部として説明したが、これに限定されるものではなく、プレキャスト製の底板部であってもよい。
【符号の説明】
【００８６】
１０            基礎構造
１              基礎スラブ（底板部）
１１            上面
１２            側面
１５            連結穴
１６            低摩擦材
２Ａ            ＰＣコーナー部（プレキャストコンクリート部材）
２Ｂ            Ｔ型ＰＣ部（プレキャストコンクリート部材）
２Ｃ            中間ＰＣ部（プレキャストコンクリート部材）
２１            外側面
２２１          連結材
２３            切欠き部
２３１          水膨張シーリング材（シール材）
２３２          充填材（シール材）
２５            インサート材
３Ａ            コーナー外装材（外装材）
３Ｂ            平型外装材（外装材）
３０            目地部
３１            中空部
３２            側端部
４Ａ，４Ｂ      防水材
６              係留金具
６１２          ボルト（ネジ材）
７              面調金具
７１            ボルト（ネジ材）
７３            ネジ用穴
８              高さ調整金具
【図１】
2018035530.tif 000003
【図２】
2018035530.tif 000004
【図３】
2018035530.tif 000005
【図４】
2018035530.tif 000006
【図５】
2018035530.tif 000007
【図６Ａ】
2018035530.tif 000008
【図６Ｂ】
2018035530.tif 000009
【図７】
2018035530.tif 000010
【図８】
2018035530.tif 000011
【図９】
2018035530.tif 000012
【図１０】
2018035530.tif 000013
【図１１】
2018035530.tif 000014
【図１２Ａ】
2018035530.tif 000015
【図１２Ｂ】
2018035530.tif 000016
【図１３】
2018035530.tif 000017